(57)【特許請求の範囲】
【請求項１】
集合住宅のエントランス（Ｅ）に設置される集合玄関機（１）と、居室に設置される居室親機（４ａ、４ｂ、…）と、管理室（Ｋ）に設置され、前記居室親機、前記集合玄関機と呼出・通話を行なう管理室親機（２）と、前記集合玄関機、前記管理室親機および前記居室親機間との呼出・通話を制御する制御機（３）とを備え、
前記集合住宅は、前記エントランスや駐車場（Ｔ）等の各共用場所を監視するためのカメラ（５ａ、５ｂ）と、前記カメラで撮像された映像を記憶するための記憶装置（６）とを有し、
前記居室親機は、前記記憶装置に記憶された映像を出画するための映像取得要求信号を送出し、前記制御機の制御により前記映像取得要求信号にしたがって前記記憶装置から読み出された映像を表示するための表示手段（４１）を有し、
前記管理室親機は、前記記憶装置に記憶された映像を出画するための映像取得要求信号を送出し、前記制御機の制御により前記映像取得要求信号にしたがって前記記憶装置から読み出された映像を表示するための表示手段（２１）を有し、
前記制御機には、前記記憶装置に記憶された映像を取得できる親機を予め設定し登録しておき前記管理室親機、前記居室親機のうち設定された親機からの前記映像取得要求信号を受信したときのみ前記記憶装置に記憶された映像を読み出し、送信するための登録手段（３１）を有することを特徴とする集合住宅用インターホンシステム。
【請求項２】
集合住宅のエントランス（Ｅ）に設置される集合玄関機（１）と、居室に設置される居室親機（４ａ、４ｂ、…）と、管理室（Ｋ）に設置され、前記居室親機、前記集合玄関機と呼出・通話を行なう管理室親機（２）と、前記集合玄関機、前記管理室親機および前記居室親機間との呼出・通話を制御する制御機（３）とを備え、
前記集合住宅は、前記エントランスや駐車場（Ｔ）等の各共用場所を監視するためのカメラ（５ａ、５ｂ）と、前記カメラで撮像された映像を記憶するための記憶装置（６）とを有し、
前記制御機は、前記記憶装置に記憶された映像を所定間隔で読み出すと共に前記居室親機へ送信する制御をするものであり、前記記憶装置に記憶された映像を取得できる親機を予め設定し登録しておき、前記記憶装置に記憶された映像を所定間隔で読み出すと共に前記設定された居室親機および／または前記管理室親機へ送信する制御をするための登録手段（３１）を有し、
前記居室親機は、前記送信された映像を出画するため表示手段（４１）を有し、
前記管理室親機は、前記送信された映像を出画するための表示手段（２１）を有することを特徴とする集合住宅用インターホンシステム。
【発明の詳細な説明】
【０００１】
【発明の属する技術分野】
【０００２】
本発明は、集合住宅用インターホンシステムに係り、特に、集合住宅のエントランスや駐車場等の各共用場所を監視できる集合住宅用インターホンシステムに関する。
【従来の技術】
【０００３】
従来から、この種の集合住宅用インターホンシステムとして、特開平５−３２８３５６号公報に開示される集合住宅システムや特開平６−２４４９７３号公報に開示される駐車場監視システムが知られている。
【０００４】
前者の集合住宅システムにおいては、来訪者が不在モードに設定された住戸を訪問し共同玄関カメラドアホンの所定部分を操作すると、来訪者の画像および音声が動画像音声蓄積部に蓄積され、蓄積された来訪者の画像および音声が所要時に不在モードに設定された住戸に転送できるように構成されており、また、後者の駐車場監視システムにおいては、駐車場に設置した旋回装置を有する監視カメラの撮像方向が住戸内から操作できるように構成されている。
【発明が解決しようとする課題】
【０００５】
しかしながら、前者の集合住宅システムにおいては、住戸毎に不在モードの設定を行なう必要があり、また、システムを構成する機器が複雑になると共にコストアップになるという難点があった。また、後者の駐車場監視システムにおいては、監視カメラの撮像方向を住戸内で操作するための制御が複雑化し、コストアップになるという難点があった。
【０００６】
本発明は、上述の難点を解消するためになされたもので、住戸において特別に不在モードの設定を行なわなくとも、集合住宅の各共用場所を監視することができると共に、監視するための制御を簡単に構成し、かつシステムのコストを削減することができる集合住宅用インターホンシステムを提供することを目的としている。
【課題を解決するための手段】
【０００７】
上記の目的を達成するため、本発明の集合住宅用インターホンシステムは、集合住宅のエントランスに設置される集合玄関機と、居室に設置される居室親機と、管理室に設置され、居室親機、集合玄関機と呼出・通話を行なう管理室親機と、集合玄関機、管理室親機および居室親機間との呼出・通話を制御する制御機とを備え、集合住宅は、エントランスや駐車場等の各共用場所を監視するためのカメラと、カメラで撮像された映像を記憶するための記憶装置とを有し、居室親機は、記憶装置に記憶された映像を出画するための映像取得要求信号を送出し、制御機の制御により映像取得要求信号にしたがって記憶装置から読み出された映像を表示するための表示手段を有し、管理室親機は、記憶装置に記憶された映像を出画するための映像取得要求信号を送出し、制御機の制御により映像取得要求信号にしたがって記憶装置から読み出された映像を表示するための表示手段を有し、制御機には、記憶装置に記憶された映像を取得できる親機を予め設定し登録しておき管理室親機、居室親機のうち設定された親機からの映像取得要求信号を受信したときのみ記憶装置に記憶された映像を読み出し、送信するための登録手段を有する。
【０００８】
また、本発明の集合住宅用インターホンシステムは、集合住宅のエントランスに設置される集合玄関機と、居室に設置される居室親機と、管理室に設置され、居室親機、集合玄関機と呼出・通話を行なう管理室親機と、集合玄関機、管理室親機および居室親機間との呼出・通話を制御する制御機とを備え、集合住宅は、エントランスや駐車場等の各共用場所を監視するためのカメラと、カメラで撮像された映像を記憶するための記憶装置とを有し、制御機は、記憶装置に記憶された映像を所定間隔で読み出すと共に居室親機へ送信する制御をするものであり、記憶装置に記憶された映像を取得できる親機を予め設定し登録しておき、記憶装置に記憶された映像を所定間隔で読み出すと共に設定された居室親機および／または管理室親機へ送信する制御をするための登録手段を有し、居室親機は、送信された映像を出画するため表示手段を有し、管理室親機は、送信された映像を出画するための表示手段を有する。
【０００９】
本発明の集合住宅用インターホンシステムによれば、必要なときに居室親機や管理室親機などから集合住宅の各共用場所の映像を取得できることから、若しくは自動的に居室親機や管理室親機などに対して映像が送信されることから、従来の集合住宅用インターホンシステムにように、住戸において特別に不在モードに設定しなくとも、各共用場所を監視することができる。また、集合住宅内に一つの記憶装置を設けることにより、各共用場所を監視することができることから、従来の集合住宅用インターホンシステムのように、各住戸に記憶装置を設ける必要がない上、監視するための制御を簡単に構成することができ、ひいては、集合住宅用インターホンシステムのコストを削減することができる。
【発明の実施の形態】
【００１０】
以下、本発明の集合住宅用インターホンシステムを適用した好ましい実施の形態例について、図面を参照して説明する。
【００１１】
図１は、本発明の集合住宅用インターホンシステムのシステム構成図を示している。同図において、集合住宅用インターホンシステムは、集合住宅のエントランスＥに設置される集合玄関機１と、集合住宅の各居室に設置され、表示手段４１を有する居室親機４ａ、４ｂ、…と、管理室Ｋに設置され、居室親機４ａ、４ｂ、…および集合玄関機１と呼出・通話を行なう管理室親機２と、集合玄関機１、管理室親機２および居室親機４ａ、４ｂ、…間との呼出・通話を制御する制御機３と、集合住宅の共用場所に侵入する不審者などを監視するために設置されたカメラ、例えばエントランスＥを監視するためのカメラ５ａ（以下「エントランスカメラ５ａ」という。）および駐車場Ｔを監視するためのカメラ５ｂ（以下「駐車場カメラ５ｂ」という。）と、エントランスカメラ５ａおよび駐車場カメラ５ｂで撮像された映像を記憶するためのサーバなどで構成される記憶装置６とを備えている。また、管理室親機２は、送信された映像を出画するための表示手段２１を有しており、制御機３は、記憶装置６に記憶された映像を取得できる親機を予め設定し登録しておき、記憶装置６に記憶された映像を所定間隔で読み出すと共に設定された居室親機・管理室親機へ送信する制御をするための登録手段３１を有している。
【００１２】
ここで、制御機３は、第１の伝送路Ｌ１を介して集合玄関機１に、第２の伝送路Ｌ２を介して管理室親機２に、第３の伝送路Ｌ３を介して各居室親機４ａ、４ｂ、…に、第４の伝送路Ｌ４を介して記憶装置６にそれぞれ接続され、記憶装置６には、第５の伝送路Ｌ５を介してエントランスカメラ５ａが、第６の伝送路Ｌ６を介して駐車場カメラ５ｂがそれぞれ接続されている。
【００１３】
次に、このように構成された本発明の集合住宅用インターホンシステムの動作について説明する。
【００１４】
まず、エントランスカメラ５ａや駐車場カメラ５ｂによって撮像された集合住宅のエントランスＥや駐車場Ｔなどの映像は、撮像日時が付加されて映像取得情報としてそれぞれ第５、第６の伝送路Ｌ５、Ｌ６を介して記憶装置６へ伝送され、当該記憶装置６に順次記憶されている。
【００１５】
ここで、集合住宅のある居室親機、例えば居室親機４ａ（以下「第１の居室親機４ａ」という。）に係る居住者（以下「第１の居住者」という。）が、集合住宅の各共用場所の映像を取得するために映像取得ボタン（不図示）を操作すると、第１の居室親機４ａからアドレスを含有する映像取得要求信号が第３の伝送路Ｌ３を介して制御機３へ伝送される。かかる映像取得要求信号が制御機３で検出されると、制御機３の制御により、記憶装置６から映像取得要求信号にしたがって映像取得情報が読み出され、かかる読み出された映像取得情報は、前述の映像取得要求信号と逆の経路を経由して第１の居室親機４ａの表示手段４１へ伝送される。これにより、表示手段４１にエントランスＥや駐車場Ｔなどの映像が出画される。同様にして、他の居室親機４ｂなどからも映像取得要求信号を送出し、当該他の居室親機４ｂの表示手段４１に、エントランスＥや駐車場Ｔなどの映像を出画させることができる。
【００１６】
次に、管理室Ｋ内の管理人が、集合住宅の各共用場所の映像を取得するために映像取得ボタン（不図示）を操作すると、管理室親機２から映像取得要求信号が第２の伝送路Ｌ２を介して制御機３へ伝送される。これにより、前述と同様に、制御機３の制御により、記憶装置６から映像取得情報が読み出され、第２の伝送路Ｌ２を経由して管理室親機２の表示手段２１へ伝送され、当該表示手段２１に、エントランスＥや駐車場Ｔなどの映像が出画される。
【００１７】
一方、制御機３の登録手段３１には、各居室親機４ａ、４ｂ、…および管理室親機２のうち、記憶装置６に記憶された映像を取得できる機器（以下「登録親機」という。）が予め設定して登録されている。
【００１８】
そして、このような登録親機から、前述と同様に操作して映像取得要求信号を送出すると、制御機３において当該映像取得要求信号を送出した登録親機のアドレス情報と登録手段３１に予め登録された登録親機の登録情報とが照合され、両者が一致したときに、記憶装置６から記憶された映像が読み出され、この映像が前述と同様にして登録親機へ送信される。
【００１９】
このように、記憶装置６に記憶された映像を取得できる機器を予め設定し登録した場合においては、映像取得情報が登録親機にのみ送出されることから、プライバシーの侵害を防止することができる。
【００２０】
ここで、前述の実施例においては、各居室親機４ａ、４ｂ、…や管理室親機２から映像取得要求信を送出した場合に記憶装置６から映像取得情報を送出しているが、制御機３の制御により、記憶装置６に記憶された映像取得情報を所定間隔（１時間程度）で読み出し、読み出した映像取得情報を各居室親機４ａ、４ｂ、…や管理室親機２に対して自動送信するようにしてもよい。
【００２１】
この場合、プライバシーの侵害を防止するために、前述の実施例と同様に、登録親機のみに対して所定間隔で映像取得情報を自動送信するようにしてもよい。
【００２２】
なお、前述の実施例においては、記憶装置６としてのサーバを制御機３と別個に設けているが、記憶装置６としてのサーバを制御機３内に設けても同様の効果を奏する。また、エントランスや駐車場に監視用のカメラを１台づつ設置しているが、共用部の規模により監視用のカメラを２台以上設置してもよく、さらに、監視用のカメラはエントランスや駐車場の何れか一方に設置してもよい。また、記憶装置６に記憶される映像は、静止画であると動画であるとを問わない。
【発明の効果】
【００２３】
以上の説明から明らかなように、本発明の集合住宅用インターホンシステムによれば、住戸において特別に不在モードに設定しなくとも、各共用場所を監視することができる。また、各共用場所を監視することができることから、各住戸に記憶装置を設ける必要がない上、監視するための制御を簡単に構成することができ、ひいては、集合住宅用インターホンシステムのコストを削減することができる。
【図面の簡単な説明】
【図１】  本発明による集合住宅用インターホンシステムの一実施例を示すブロック図。
【符号の説明】
１・・・・集合玄関機
２・・・・管理室親機
２１・・・・表示手段
３・・・・制御機
３１・・・・登録手段
４ａ、４ｂ、…・・・・・・・・・居室親機
４１・・・・表示手段
５ａ・・・・カメラ（エントランスカメラ）
５ｂ・・・・カメラ（駐車場カメラ）
６・・・・記憶装置
Ｅ・・・・エントランス
【図１】
0003955777.tif 000002